(57)【要約】      （修正有）【課題】騒音の低減化を図った温風乾燥機を提供する。【解決手段】温風乾燥機Ｈは、下部に空気を吸い込む吸い込み口１ａ、上部に空気を排出する排出口１ｂを有する本体１と、この本体１内に設けられ、吸い込み口１ａより高く、排出口１ｂより低い位置に設置される送風用のファン４と、本体１内に設けられ、送風用のファン４からの空気を排出口１ｂへ導く案内通路と、この案内通路内に設けられ、案内通路内の空気を加熱するヒーターとを備え、案内通路は、本体１の背面に沿うように設けられた背面通路Ｇ１と、この背面通路Ｇ１に連通し、本体１の天井面に沿うように設けられた天井面通路Ｇ２とを有し、ヒーターは、天井面通路Ｇ２内に設けられているものである。【選択図】図１
0003167520.tif 000002
【実用新案登録請求の範囲】
【請求項１】
下部に空気を吸い込む吸い込み口、上部に空気を排出する排出口を有する本体と、
この本体内に設けられ、前記吸い込み口より高く、前記排出口より低い位置に設置される送風用のファンと、
前記本体内に設けられ、前記送風用のファンからの空気を前記排出口へ導く案内通路と、
この案内通路内に設けられ、前記案内通路内の空気を加熱するヒーターとを備え、
前記案内通路は、前記本体の背面に沿うように設けられた背面通路と、この背面通路に連通し、前記本体の天井面に沿うように設けられた天井面通路とを有し、
前記ヒーターは、前記天井面通路内に設けられている
ことを特徴とする温風乾燥機。
【請求項２】
本体は、前面部、天井面部、右側面部、左側面部、底面部及び背面部を有し、
ヒーターは、周囲を耐熱性部材で覆われ、
前記耐熱性部材の外形は、略直方体形状であり、
前記耐熱性部材は、空気の流入口と流出口を有し、
天井面通路は、前記本体の天井面に沿うように扁平状に形成された扁平通路であり、
この扁平通路内に対向して第１、第２の位置決め部材が設けられ、
前記扁平通路内に対向して第３、第４の位置決め部材が設けられ、
平面視、前記第１の位置決め部材と前記第３の位置決め部材とは離間すると共に同一直線上にあり、
平面視、前記第３の位置決め部材と前記第４の位置決め部材とは離間すると共に同一直線上一直線上にあり、
前記第１の位置決め部材及び前記第２の位置決め部材は、前記右側面部の近傍にあって、平面視、前記右側面部に対して直交する位置関係にあり、
前記第３の位置決め部材及び前記第４の位置決め部材は、前記左側面部の近傍にあって、平面視、前記左側面部に対して直交する位置関係にあり、
前記ヒーターの周囲を覆った前記耐熱性部材の一方側は前記第１の位置決め部材と前記第２の位置決め部材との間に、
前記ヒーターの周囲を覆った前記耐熱性部材の他方側は前記第３の位置決め部材と前記第４の位置決め部材との間に、
それぞれ嵌挿され収納されている
ことを特徴とする請求項１記載の温風乾燥機。
【請求項３】
本体は、前面部、天井面部、右側面部、左側面部、底面部及び背面部からなる略直方体形状であって、前記前面部、前記天井面部、前記右側面部、前記左側面部及び前記底面部は合成樹脂製であり、前記背面部は板金製である
ことを特徴とする請求項１記載の温風乾燥機。
【請求項４】
内部に送風用のファンを有した本体は、前面部、天井面部、右側面部、左側面部、底面部及び背面部からなる略直方体形状であり、
前記前面部は、前記前面部の上部と下部を残して中途を欠損した前面欠損部を有し、
前記右側面部は、前記右側面部の上部と下部を残して中途を欠損した右側面欠損部を有し、
前記左側面部は、前記左側面部の上部と下部を残して中途を欠損した左側面欠損部を有し、
前記右側面欠損部と前記左側面欠損部は対向すると共に、前記前面欠損部、前記右側面欠損部及び前記左側面欠損部は連通し、
前記前面欠損部に臨み、前記本体の内方へ窪むように窪み部が形成され、
この窪み部の下方の部位は、前記本体の外方へと向かう張り出し部が形成され、
この張り出し部は、前記手に付着した水を受け止める水受けトレイであり、
前記本体の上部に、前記天井面部、欠損しないで残された前記前面部の上部、欠損しないで残された前記右側面部の上部及び欠損しないで残された前記左側面部の上部を有した上部張出部が形成され、
前記水受けトレイに対向する前記上部張出部の部位に空気を排出する排出口が位置し、
前記前面部の上部、前記天井面部、前記右側面部、前記左側面部、前記底面部及び前記窪み部は合成樹脂製で一体成形されている
ことを特徴とする請求項１〜３記載のいずれかの温風乾燥機。
【請求項５】
水受けトレイに設けられた水排出口と、
本体内であって、前記水排出口の下に設けられた水受けタンクと、
前記本体の運転をオン、オフする運転スイッチと、
前記本体の窪み部に手が入ったことを感知する人感センサーと、
この人感センサーの検出をカウントするカウンターとを備え、
前記運転スイッチがオン、前記人感センサーが手を検知した場合に、送風用のファンが動作するものであり、
前記カウンターの回数が所定回数に達すると、前記運転スイッチがオン、前記人感センサーが手を検知しても、前記送風用のファンの動作を禁止する制御手段が設けられている
ことを特徴とする請求項４載の温風乾燥機。
【考案の詳細な説明】
【技術分野】
【０００１】
本考案は、温風乾燥機に係り、特に、騒音の低減化を図った温風乾燥機に関する。
【背景技術】
【０００２】
従来、温風乾燥機として、例えば、壁面に取付可能で、底面に温風吐出口を形成したケーシング内に、ファンユニット及びヒータユニットを具備する温風ファンユニットを収納配設したものがある（例えば、特許文献１参照）。
【先行技術文献】
【特許文献】
【０００３】
【特許文献１】特許第３８７８２７４号公報
【考案の概要】
【考案が解決しようとする課題】
【０００４】
しかしながら、上記温風乾燥機にあっては、温風吐出口の上にファンユニット及びヒータユニットが位置している関係上、温風吐出口とファンユニットとの距離を長くとれず、ファンユニットの吹き出し近傍にヒータユニットが位置するため、ファンによる騒音が大きいという問題点が生じた。
【０００５】
本考案は、上記の問題点を考慮してなされた温風乾燥機を提供することを目的とする。
【課題を解決するための手段】
【０００６】
請求項１記載の温風乾燥機は、下部に空気を吸い込む吸い込み口、上部に空気を排出する排出口を有する本体と、この本体内に設けられ、前記吸い込み口より高く、前記排出口より低い位置に設置される送風用のファンと、前記本体内に設けられ、前記送風用のファンからの空気を前記排出口へ導く案内通路と、この案内通路内に設けられ、前記案内通路内の空気を加熱するヒーターとを備え、前記案内通路は、前記本体の背面に沿うように設けられた背面通路と、この背面通路に連通し、前記本体の天井面に沿うように設けられた天井面通路とを有し、前記ヒーターは、前記天井面通路内に設けられているものである。
【０００７】
また、請求項２記載の温風乾燥機は、請求項１記載の温風乾燥機において、本体は、前面部、天井面部、右側面部、左側面部、底面部及び背面部を有し、ヒーターは、周囲を耐熱性部材で覆われ、前記耐熱性部材の外形は、略直方体形状であり、前記耐熱性部材は、空気の流入口と流出口を有し、天井面通路は、前記本体の天井面に沿うように扁平状に形成された扁平通路であり、この扁平通路内に対向して第１、第２の位置決め部材が設けられ、前記扁平通路内に対向して第３、第４の位置決め部材が設けられ、平面視、前記第１の位置決め部材と前記第３の位置決め部材とは離間すると共に同一直線上にあり、平面視、前記第３の位置決め部材と前記第４の位置決め部材とは離間すると共に同一直線上一直線上にあり、前記第１の位置決め部材及び前記第２の位置決め部材は、前記右側面部の近傍にあって、平面視、前記右側面部に対して直交する位置関係にあり、前記第３の位置決め部材及び前記第４の位置決め部材は、前記左側面部の近傍にあって、平面視、前記左側面部に対して直交する位置関係にあり、前記ヒーターの周囲を覆った前記耐熱性部材の一方側は前記第１の位置決め部材と前記第２の位置決め部材との間に、前記ヒーターの周囲を覆った前記耐熱性部材の他方側は前記第３の位置決め部材と前記第４の位置決め部材との間に、それぞれ嵌挿され収納されているものである。
【０００８】
また、請求項３記載の温風乾燥機は、請求項１記載の温風乾燥機において、本体は、前面部、天井面部、右側面部、左側面部、底面部及び背面部からなる略直方体形状であって、前記前面部、前記天井面部、前記右側面部、前記左側面部及び前記底面部は合成樹脂製であり、前記背面部は板金製である。
【０００９】
また、請求項４記載の温風乾燥機は、請求項１〜３記載のいずれかの温風乾燥機において、内部に送風用のファンを有した本体は、前面部、天井面部、右側面部、左側面部、底面部及び背面部からなる略直方体形状であり、前記前面部は、前記前面部の上部と下部を残して中途を欠損した前面欠損部を有し、前記右側面部は、前記右側面部の上部と下部を残して中途を欠損した右側面欠損部を有し、前記左側面部は、前記左側面部の上部と下部を残して中途を欠損した左側面欠損部を有し、前記右側面欠損部と前記左側面欠損部は対向すると共に、前記前面欠損部、前記右側面欠損部及び前記左側面欠損部は連通し、前記前面欠損部に臨み、前記本体の内方へ窪むように窪み部が形成され、この窪み部の下方の部位は、前記本体の外方へと向かう張り出し部が形成され、この張り出し部は、前記手に付着した水を受け止める水受けトレイであり、前記本体の上部に、前記天井面部、欠損しないで残された前記前面部の上部、欠損しないで残された前記右側面部の上部及び欠損しないで残された前記左側面部の上部を有した上部張出部が形成され、前記水受けトレイに対向する前記上部張出部の部位に空気を排出する排出口が位置し、前記前面部の上部、前記天井面部、前記右側面部、前記左側面部、前記底面部及び前記窪み部は合成樹脂製で一体成形されているものである。
【００１０】
また、請求項５記載の温風乾燥機は、請求項４載の温風乾燥機において、水受けトレイに設けられた水排出口と、本体内であって、前記水排出口の下に設けられた水受けタンクと、前記本体の運転をオン、オフする運転スイッチと、前記本体の窪み部に手が入ったことを感知する人感センサーと、この人感センサーの検出をカウントするカウンターとを備え、前記運転スイッチがオン、前記人感センサーが手を検知した場合に、送風用のファンが動作するものであり、前記カウンターの回数が所定回数に達すると、前記運転スイッチがオン、前記人感センサーが手を検知しても、前記送風用のファンの動作を禁止する制御手段が設けられているものである。
【考案の効果】
【００１１】
請求項１記載の温風乾燥機によれば、空気を案内する案内通路を本体の背面に沿う背面通路と、この背面通路に連通し、前記本体の天井面に沿うよう天井面通路と長く形成でき、しかも、該天井面通路内にヒーターを設け、該ヒーターを送風用のファンから遠い位置に設置できるため、送風用のファンによる騒音の低減化を図ることができる。
【００１２】
また、請求項２記載の温風乾燥機によれば、前述した請求項１記載の考案の効果に加え、ヒーターの周囲を覆った耐熱性部材の一方側は第１の位置決め部材と第２の位置決め部材との間に、ヒーターの周囲を覆った耐熱性部材の他方側は第３の位置決め部材と第４の位置決め部材との間に、それぞれ嵌挿され収納されているため、送風用のファンから送風される空気がヒーターに当たる際生じる騒音等が本体外へ伝達するのを防いで、騒音の低減化を図ることができる。
【００１３】
また、請求項３記載の温風乾燥機によれば、前述した請求項１記載の考案の効果に加え、前面部、天井面部、右側面部、左側面部、底面部及び背面部からなる略直方体形状であって、前記前面部、前記天井面部、前記右側面部、前記左側面部及び前記底面部は合成樹脂製であり、前記背面部は板金製であるため、本体の外表面を全て合成樹脂製で形成したものに比べ、剛性が増し、本体内の騒音を本体外へ伝達するのを防いで、騒音の低減化を図ることができる。
【００１４】
また、請求項４記載の温風乾燥機によれば、前述した請求項１〜３記載のいずれかの考案の効果に加え、本体は、前面部、天井面部、右側面部、左側面部、底面部及び背面部からなる略直方体形状であり、前記前面部の上部と下部を残して中途を欠損した前面欠損部を有し、前記右側面部は、前記右側面部の上部と下部を残して中途を欠損した右側面欠損部を有し、前記左側面部は、前記左側面部の上部と下部を残して中途を欠損した左側面欠損部を有し、前記右側面欠損部と前記左側面欠損部は対向すると共に、前記前面欠損部、前記右側面欠損部及び前記左側面欠損部は連通し、前記前面欠損部に臨み、前記本体の内方へ窪むように窪み部が形成され、この窪み部の下方の部位は、前記本体の外方へと向かう張り出し部が形成され、この張り出し部は、前記手に付着した水を受け入れる水受けトレイであり、前記前面部の上部、前記天井面部、前記右側面部、前記左側面部、前記底面部及び前記窪み部は合成樹脂製で一体成形されているため、つまり、窪み部に水が本体内へ侵入する継ぎ目がないため、窪み部から水が本体内へ侵入するのを防ぐことができる。
【００１５】
また、請求項５記載の温風乾燥機によれば、前述した請求項４記載の考案の効果に加え、運転スイッチがオン、人感センサーが手を検知し、送風用のファンが動作するものであり、カウンターの回数が所定回数に達すると、前記運転スイッチがオン、前記人感センサーが手を検知しても、前記送風用のファンの動作を禁止する制御手段が設けられているため、手より滴下し水受けタンク内に貯留される水の量を間接的に認識して水受けタンクより水があふれ出るのを防ぐことができる。
【図面の簡単な説明】
【００１６】
【図１】図１は、本考案の一実施例の温風乾燥機の概略的断面図である。
【図２】図２は、図１の温風乾燥機の使用状態の概略的平面図である。
【図３】図３は、図１の温風乾燥機の本体内の空気流れを説明するために背面側から見た概略的図である。                                          ｎ
【図４】図４は、図１の温風乾燥機を分解して示す概略的分解斜視図である。
【図５】図５は、図４の扁平通路を拡大して示す概略的拡大斜視図である。
【図６】図６は、図５を分解して示す概略的分解断面図である。
【図７】図７（ａ）（ｂ）は、図１の温風乾燥機の転倒スイッチの作動状態を説明するための概略的図で、図７（ａ）は正常状態を、図７（ｂ）は地震等により温風乾燥機が傾いた状態を、それぞれ示している。
【図８】図８は、図７の温風乾燥機の転倒スイッチにカバーを取り付けの前後をぞれぞれ示す概略的図である。
【図９】図９は、図１の温風乾燥機を壁に取り付けた状態の概略的側断面図である。
【図１０】図１０は、図１の温風乾燥機の制御方法を実現するための一例を示すフローチャートである。
【図１１】図１１は、図１０の制御方法の一例を示すブロック線図である。
【考案を実施するための形態】
【００１７】
本考案の一実施例の温風乾燥機を図面を参照して説明する。
図１に示すＨは温風乾燥機で、温風乾燥機Ｈは、手洗い等で濡れた手を温風で乾燥させるもので、本体１を有している。
本体１は、例えば、前面部１Ａ、天井面部１Ｂ、右側面部１Ｃ、左側面部１Ｄ、底面部１Ｅ及び背面部１Ｆからなる略直方体形状であって、前面部１Ａ、天井面部１Ｂ、右側面部１Ｃ、左側面部１Ｄ及び底面部１Ｅは合成樹脂製であり、背面部１Ｆは板金製となっている。
これは、背面部１Ｆは板金製であるため、本体１の外表面を全て合成樹脂製で形成したものに比べ、剛性が増し、本体１内の騒音を本体１外へ伝達するのを防いで、騒音の低減化を図ることができるためである。
【００１８】
本体１は、下部に空気を吸い込む吸い込み口１ａ、上部に空気を排出する排出口１ｂを有する。４は本体１内に設けられた送風用のファンで、送風用のファン（例えば、シロッコファン）４は吸い込み口１ａより高く、排出口１ｂより低い位置に設置されている。
５は、送風用のファン４を駆動させるモーターである。
また、Ｇは、本体１内に設けられた案内通路で、案内通路Ｇは、送風用のファン４からの空気を排出口１ｂへと導くもので、図３に示す１０は、本体１内に設けられたヒーター（例えば、ＰＴＣヒーター）で、ヒーター１０は、案内通路Ｇ内の空気を加熱するものである。
上述した案内通路Ｇは、本体１の背面に沿うように設けられた背面通路Ｇ１と、この背面通路Ｇ１に連通し、本体１の天井面１Ｂに沿うように設けられた天井面通路Ｇ２とを有し、ヒーター１０は、天井面通路Ｇ２内にあり、例えば、送風用のファン４より排出口１ｂに近い側に位置している(図１参照)。
このように案内通路Ｇを本体１の背面に沿う背面通路Ｇ１と、この背面通路Ｇ１に連通し、本体１の天井面１Ｂに沿うよう天井面通路Ｇ２と長く形成でき、しかも、天井面通路Ｇ２内にヒーター１０を設け、ヒーター１０を送風用のファン４から遠い位置に設置できるため、送風用のファン４による騒音の低減化を図ることができる。
なお、排出口１ｂの近傍には、図１及び図４に示すように、光触媒フィルター１ａ１、集塵フィルター１ａ２が設けられている。光触媒フィルター１ａ１は、本体１内に設けたＬＥＤランプ Ｌ（図３参照）からの紫外光によって励起される光触媒により、雑菌を分解、除去するものである。
【００１９】
ヒーター１０は、図５及び図６に示すように、周囲を耐熱性部材１１で覆うようにしている。この耐熱性部材１１は、空気の流入口１１Ａと流出口１１Ｂを有し、耐熱性部材１１の外形は、略直方体形状をなしている。天井面通路Ｇ２は、本体１の天井面１Ｂに沿うように扁平状に形成された扁平通路となっている。
この扁平通路内に対向して第１、第２の位置決め部材１１Ｃ、１１Ｄが設けられ、前記扁平通路内に対向して第３、第４の位置決め部材１１Ｅ、１１Ｆが設けられている。
平面視、第１の位置決め部材１１Ｃと第３の位置決め部材１１Ｅとは離間すると共に同一直線上にあり、平面視、第３の位置決め部材１１Ｄと第４の位置決め部材１１Ｆとは離間すると共に同一直線上一直線上にある。
第１の位置決め部材１１Ｃ及び第２の位置決め部材１１Ｄは、右側面部１Ｃの近傍にあって、平面視、右側面部１Ｃに対して直交する位置関係にあり、第３の位置決め部材１１Ｅ及び第４の位置決め部材１１Ｆは、左側面部１Ｄの近傍にあって、平面視、左側面部１Ｄに対して直交する位置関係にある。
そして、ヒーター１０の周囲を覆った耐熱性部材１１の一方側は第１の位置決め部材１１Ｃと第２の位置決め部材１１Ｄとの間に、ヒーター１０の周囲を覆った耐熱性部材１１の他方側は第３の位置決め部材１１Ｅと第４の位置決め部材１１Ｆとの間に、それぞれ嵌挿されて収納されている。
このように、ヒーター１０の周囲を覆った耐熱性部材１１の一方側は第１の位置決め部材１１Ｃと第２の位置決め部材１１Ｄとの間に、ヒーター１０の周囲を覆った耐熱性部材１１の他方側は第３の位置決め部材１１Ｅと第４の位置決め部材１１Ｆとの間に、それぞれ嵌挿され収納されているため、送風用のファン４から送風される空気がヒーター１０に当たる際生じる騒音等が本体１外へ伝達するのを防いで、騒音の低減化を図ることができる。
【００２０】
また、上述した前面部１Ａは、図４に示すように、前面部１Ａの上部と下部を残して中途を欠損した前面欠損部１ＡＫを有し、右側面部１Ｃは、右側面部１Ｃの上部と下部を残して中途を欠損した右側面欠損部１ＣＫを有し、左側面部１Ｄは、左側面部１Ｄの上部と下部を残して中途を欠損した左側面欠損部１ＤＫを有し、右側面欠損部１ＣＫと左側面欠損部１ＤＫは対向すると共に、前面欠損部１ＡＫ、右側面欠損部１ＣＫ及び左側面欠損部１ＤＫは連通し、そして、窪み部１Ｘが、図１に示すように前面欠損部１ＡＫに臨み、本体１の内方へ窪むように形成されている。この窪み部１Ｘの下方の部位は、前記本体の外方へと向かう張り出し部１ＸＡが形成され、この張り出し部１ＸＡは、手に付着した水を受け止める水受けトレイとなっている。
また、本体１の上部に、天井面部１Ｂ、欠損しないで残された前面部１Ａの上部、欠損しないで残された右側面部１Ｃの上部及び欠損しないで残された左側面部１Ｄの上部を有した上部張出部１Ｙが形成され、水受けトレイ（張り出し部１ＸＡ）に対向する上部張出部１Ｙの部位に空気を排出する前述した排出口１ｂが位置している。
そして、前面部１Ａの上部、天井面部１Ｂ、右側面部１Ｃ、左側面部１Ｄ、底面部１Ｅ及び窪み部１Ｘは合成樹脂製で一体成形されている。窪み部１Ｘは合成樹脂製で一体成形されているため、つまり、窪み部１Ｘに水が本体１内へ侵入する継ぎ目がないため、窪み部１Ｘから水が本体１内へ侵入するのを防ぐことができる。
【００２１】
また、図１に示すように、水受けトレイ（張り出し部１ＸＡ）に水排出口２０が、この水排出口２０の下に水受けタンク３０が、それぞれ設けられている。
なお、図２に示す４０は、本体１の運転をオン、オフする運転スイッチで、図１に示す５０は、本体１の窪み部１Ｘに手が入ったことを感知する人感センサーで、図１１に示す６０は制御手段で、６０ａは人感センサー５０の検出をカウントするカウンターである。
そして、温風乾燥機Ｈは、制御手段６０により制御されるもので(図１０及び図１１参照)、例えば、運転スイッチ４０がオン、人感センサー５０が本体１内へ入った手を検知した場合に、カウンター６０ａによりカウントされ、送風用のファン４が動作し、本体１内に入った手に温風が送風されて乾燥させる。
この制御手段６０は、カウンター６０ａによるカウンターの回数が所定回数(例えば、２００回)に達すると、運転スイッチ４０がオンの状態にあって、人感センサー５０が手を検知しても、送風用のファン４の動作を禁止するようにしている。
これは、運転スイッチ４０がオン、人感センサー５０が本体１内へ入った手を検知した場合に、送風用のファン４を動作させると、手より滴下した水が水受けタンク３０内に貯留され、所定量を超えると、水受けタンク３０より水が溢れる不具合が生じるため、これを間接的に防ぐためである。
本実施例にあっては、カウンター６０ａによるカウンターの回数が２００回を超えると、滴下する水の量が水受けタンク３０の満水近くになったことによるもので、カウンター６０ａによるカウンターの回数は、ヒーター１０の容量、送風用のファン４の特性、水受けタンク３０の容量等により適宜定めることができるものである。
【００２２】
なお、上述した実施例にあっては、運転スイッチ４０がオンの状態にあって、人感センサー５０が手を検知した場合に送風用のファン４を動作させたが、本願考案にあっては、これに限らず、温風乾燥機Ｈをトイレ、脱衣所等に設置した場合の簡易暖房の機能をも付加することができる。
かかる場合には、人感センサー５０のよる手の検知に関わらず、送風用のファン４が動作するように部屋暖房スイッチ４０’（図２参照）を設け、その際、タイマー機能を選択できるようにすることができる。例えば、図２に示す４０’ａは２時間、４０’ｂは６時間をそれぞれ選択できるスイッチである。
【００２３】
なお、上述した実施例の温風乾燥機Ｈには、図７（ａ）（ｂ）に示すように、転倒スイッチＴが設けられ、地震等により温風乾燥機Ｈが傾いた場合[図７（ｂ）参照]、温風乾燥機Ｈの運転を強制的に停止するようになっている。
そのため、温風乾燥機Ｈを壁Ｗに設置すると、転倒スイッチＴが機能して温風乾燥機Ｈが運転できないこととなる。これを防ぐために図８に示すように、転倒スイッチＴが機能しないようにカバーＣを取り付けて、温風乾燥機Ｈを壁Ｗに設置している（図９参照）
。
【符号の説明】
【００２４】
Ｈ      温風乾燥機
１      本体
１ａ    吸い込み口
１ｂ    排出口
４      送風用のファン
１０    ヒーター
Ｇ      案内通路
Ｇ１    背面通路
Ｇ２    天井面通路
【図１】
0003167520.tif 000003
【図２】
0003167520.tif 000004
【図３】
0003167520.tif 000005
【図４】
0003167520.tif 000006
【図５】
0003167520.tif 000007
【図６】
0003167520.tif 000008
【図７】
0003167520.tif 000009
【図８】
0003167520.tif 000010
【図９】
0003167520.tif 000011
【図１０】
0003167520.tif 000012
【図１１】
0003167520.tif 000013